(57)【要約】【課題】その一部にＦＴＹを裏糸として用いつつ、ずり落ちを防止した靴下を提供する。【解決手段】本考案によれば、足部４と足部４から連続する脚部８とを有し、足部４はゴアライン７を介して足先側６ａと足首側６ｂに区分される踵部６を更に有し、足部４と脚部８とは、踵部６の足首側６ｂの上辺と該上辺に連続するゴアライン７の延長線とにより区分けされ、足部４は、非弾性糸と弾性糸とで編成され、脚部８は、非弾性糸のみで編成され、脚部８は、足首付近から履口に向けて幅が広くなるテーパー形状に編成されている靴下１が提供される。【選択図】図１
0003216144.tif 000002
【実用新案登録請求の範囲】
【請求項１】
爪先部から踵部までを構成する足部と、
前記踵部上方から履口部までを構成し、前記足部から連続する脚部と、を有し、
前記足部は、非弾性糸と弾性糸とで編成されており、
前記脚部は、非弾性糸のみで編成されている
靴下。
【請求項２】
爪先部から踵部までを構成する足部と、
前記踵部上方から履口部までを構成し、前記足部から連続する脚部と、を有し、
前記足部は、非弾性糸と弾性糸とで編成されており、
前記脚部は、非弾性糸のみで編成されており、
前記脚部は、足首付近から履口に向けて幅が広くなるテーパー形状に編成されている
靴下。
【請求項３】
爪先部から踵部までを構成する足部と、
前記踵部上方から履口部までを構成し、前記足部から連続する脚部と、を有し、
前記足部の前記踵部は、ゴアラインを介して足先側と足首側に区分され、
前記足部と前記脚部とは、前記踵部の前記足首側の上辺と前記上辺に連続する前記ゴアラインの延長線とにより区分され、
前記足部は、非弾性糸と弾性糸とで編成されており、
前記脚部は、非弾性糸のみで編成されており、
前記脚部は、足首付近から履口に向けて幅が広くなるテーパー形状に編成されている
靴下。
【請求項４】
前記非弾性糸は、綿糸、ポリエステル糸、ナイロン糸、ウール糸、綿−ポリエステル混紡糸、綿−アクリル混紡糸、ウール−ポリエステル混紡糸、ウール−アクリル混紡糸のいずれかであり、前記弾性糸は、ＦＴＹである
請求項１乃至請求項３のいずれか１項に記載の靴下。
【考案の詳細な説明】
【技術分野】
【０００１】
本考案は、ずり落ちを防止した靴下に関する。
【背景技術】
【０００２】
従来、靴下は、踵部よりも上の部分が同じ幅で構成されていたことから、足の動き等に伴い当該上の部分が下方にずり落ちることが問題となっていた。そして、このような問題を解決するために、種々の技術が提案されている。
【０００３】
例えば、特許文献１では、足首部に設けられた凹部によって、足の動き等を吸収し、身部のずり落ちを防止する靴下が開示されている。同靴下では、度目変化と給糸量変化とを独立に制御して、主として身部を編成するので、身部は良好にふくらはぎ等にフィットし該フィット性の向上により身部のずり落ちを防止している。
【０００４】
さらに、特許文献２では、穿き口部から踵部までを構成しているボディ部と、踵部から爪先部までを構成しているフィット部とからなる靴下において、踵部を除いてボディ部途中からフィット部途中までの中間領域を構成している生地の編み組織の度目を他の部分よりも密に編成してあり、中間領域に度目は、ボディ部途中の始端からフィット部途中の終端まで途中の踵部付近であってゴアラインの延長線に当たる足首相当部の周辺が最も密であることを特徴とする靴下が開示されている。
【先行技術文献】
【特許文献】
【０００５】
【特許文献１】実開平７−２４９０９号公報
【特許文献１】特許第５１８３２６０号公報
【考案の概要】
【考案が解決しようとする課題】
【０００６】
しかしながら、特許文献１に開示されたものは、足首部に特殊な凹部を設ける必要があり、構成上、複雑で、編成工程が複雑になるおそれがあった。更に、特許文献２に開示されたものは、度目がゴアラインの延長線に当たる足首相当部の周辺で最も密になるように編成する必要があり、編成工程が複雑になるおそれがあった。
【０００７】
そして、今日では、靴下のフィット性を高めるために、非弾性糸からなる表糸と、ポリウレタン繊維にナイロン繊維を被覆したＦＴＹ（Filament Twisted Yarn）からなる裏糸を用いて編成することが一般になされているが、そのようなＦＴＹを用いた靴下において、ずり落ちを防止するための工夫がなされたものは存在しなかった。
【０００８】
本考案は、このような課題に鑑みてなされたものであり、その目的とするところは、その一部にＦＴＹを裏糸として用いつつも、ずり落ち防止を実現することにある。
【課題を解決するための手段】
【０００９】
上記課題を解決するため、本考案の第１の態様に係る靴下は、爪先部から踵部までを構成する足部と、前記踵部上方から履口部までを構成し、前記足部から連続する脚部と、を有し、前記足部は、非弾性糸と弾性糸とで編成されており、前記脚部は、非弾性糸のみで編成されている。
【００１０】
本考案の第２の態様に係る靴下は、爪先部から踵部までを構成する足部と、前記踵部上方から履口部までを構成し、前記足部から連続する脚部と、を有し、前記足部は、非弾性糸と弾性糸とで編成されており、前記脚部は、非弾性糸のみで編成されており、前記脚部は、足首付近から履口に向けて幅が広くなるテーパー形状に編成されている。
【００１１】
本考案の第３の態様に係る靴下は、爪先部から踵部までを構成する足部と、前記踵部上方から履口部までを構成し、前記足部から連続する脚部と、を有し、前記足部の前記踵部は、ゴアラインを介して足先側と足首側に区分され、前記足部と前記脚部とは、前記踵部の前記足首側の上辺と前記上辺に連続する前記ゴアラインの延長線とにより区分され、前記足部は、非弾性糸と弾性糸とで編成されており、前記脚部は、非弾性糸のみで編成されており、前記脚部は、足首付近から履口に向けて幅が広くなるテーパー形状に編成されている。
【００１２】
そして、第１乃至第３の態様において、前記非弾性糸は、綿糸、ポリエステル糸、ナイロン糸、ウール糸、綿−ポリエステル混紡糸、綿−アクリル混紡糸、ウール−ポリエステル混紡糸、ウール−アクリル混紡糸のいずれかであり、前記弾性糸は、ＦＴＹである。
【考案の効果】
【００１３】
本考案によれば、その一部にＦＴＹを裏糸として用いつつ、ずり落ちを防止することが可能な靴下を提供することができる。
【図面の簡単な説明】
【００１４】
【図１】本考案の一実施形態に係る靴下の構成図である。
【考案を実施するための形態】
【００１５】
以下、図面を参照しつつ本考案の一実施形態について説明する。
【００１６】
図１には、本考案の一実施形態に係る靴下の構成を示し説明する。
【００１７】
同図に示されるように、本実施形態に係る靴下１は、足部４、脚部８、及び履口部９で構成されている。そして、足部４は、足甲部３、爪先部２、足底部５、及び踵部６で構成されており、踵部６は、ゴアライン７を境界として、足先側６ａと足首側６ｂとなるよう編成されている。足先側６ａの編地と足首側６ｂの編地は目減らしと次に目増やしを行うことにより編成するようにしてよい。
【００１８】
足部４について、足甲部３は、着用者の足の甲が当接する部分である。爪先部２は、着用者の爪先が当接する部分である。足底部５は、着用者の足底が当接する部分である。そして、踵部６は、着用者の踵が当接する部分である。脚部８については、着用者の脚部分に当接する部分である。そして、履口部９は、着用者が、足先から靴下１内部に足を挿入するための開口部である。
【００１９】
足部４は、表糸である非弾性糸と裏糸である弾性糸によって編成されており、脚部８及び履口部９は、表糸である非弾性糸により編成されている。そして、表糸の非弾性糸としては、綿糸、ポリエステル糸、ナイロン糸、ウール糸、綿−ポリエステル混紡糸、綿−アクリル混紡糸、ウール−ポリエステル混紡糸、ウール−アクリル混紡糸等が用いられている。裏糸の弾性糸としては、ポリウレタン繊維をナイロン繊維で被覆した糸であるＦＴＹが用いられている。このように、脚部８及び履口部９を、表糸である非弾性糸だけで編成している点は、本実施形態に特徴の一つである。
【００２０】
足部４と脚部８との切り替わりは、踵部６の足首側６ｂの上辺と、当該上辺に連続するゴアライン７の延長線による境界として切り換わり位置としている。つまり、この実施形態に係る靴下１では、踵部６の足首側６ｂの上辺と、当該上辺に連続するゴアライン７の延長線により定まる境界よりも下方（足先側）を足部４とし、当該境界よりも上方（履口側）を脚部８としている。
【００２１】
さらに、脚部８は、上記境界より上方（履口側）に行くにしたがって、幅が広くなるような所謂テーパー形状に編成されている。換言すれば、履口部９は、脚部８の足首付近の幅よりも広い所謂テーパー形状に編成されている。
【００２２】
脚部８は、前述したように、表糸である非弾性糸のみで編成されており、更に形状がテーパー形状となっているので、着用者の脚を弾性力により締め付けることもなく、その反力の作用により下方にずり落ちることもない。
【００２３】
このように、脚部８を表糸である非弾性糸だけで編成し、且つ上方にいくに従い幅が広がるようなテーパー形状に編成している点は、本実施形態の特徴の一つである。
【００２４】
このような靴下１の実際の編成に際しては、踵部６の足首側６ｂの上辺と当該上辺に連続するゴアライン７の延長線による境界よりも上方、つまり脚部８は、裏糸であるＦＴＹを編成に用いていない分だけ、多少の度目調整を実施しているものの、編目数については足部４と同じであってよい。
【００２５】
以上説明したように、本考案の実施形態によれば、足部４と足部４から連続する脚部８とを有し、足部４は、非弾性糸と弾性糸とで編成されており、脚部８は、非弾性糸のみで編成されている靴下１が提供される。従って、この構成によれば、ずり落ちを効果的に防止することが可能となる。また、足部４においては、良好なフィット感を併せて実現することが可能となる。
【００２６】
さらに、本実施形態によれば、爪先部２から踵部６までを構成する足部４と、踵部６上方から履口部９までを構成し足部４から連続する脚部８とを有し、足部４は非弾性糸と弾性糸とで編成されており、脚部８は非弾性糸のみで編成されており、脚部８は足首付近から履口に向けて幅が広くなるテーパー形状に編成されている靴下１が提供される。
【００２７】
従って、この構成によれば、脚部において、弾性力により締め付けの反力の作用で脚部が下方にずり落ちるのを効果的に防止することが可能となる。さらに、足部４においては良好なフィット感を併せて実現することが可能となる。
【００２８】
そして、本実施形態によれば、爪先部２から踵部６までを構成する足部４と、踵部６上方から履口部９までを構成し足部４から連続する脚部８とを有し、足部４の踵部６はゴアライン７を介して足先側６ａと足首側６ｂに区分され、足部４と脚部８とは、踵部６の足首側６ｂの上辺と該上辺に連続するゴアライン７の延長線とにより区分され、足部４は非弾性糸と弾性糸とで編成され、脚部８は非弾性糸のみで編成され、脚部８は足首付近から履口に向けて幅が広くなるテーパー形状に編成されている靴下１が提供される。
【００２９】
従って、この構成によれば、足部４と脚部８とが、踵部６の足首側６ｂの上辺とそれに連続するゴアラインの延長線とにより明確に区分され、その区分の下で、脚部８側は非弾性糸で編成し且つテーパー形状に編成するので、ずり落ちを効果的に防止することが可能である。また、足部４においては、良好なフィット感を併せて実現できる。
【００３０】
ここで、非弾性糸は、綿糸、ポリエステル糸、ナイロン糸、ウール糸、綿−ポリエステル混紡糸、綿−アクリル混紡糸、ウール−ポリエステル混紡糸、ウール−アクリル混紡糸のいずれかであり、弾性糸は、ＦＴＹであってよい。従って、足部４においては、ＦＴＹを用いた編成により良好なフィット感を実現することができる。
【００３１】
以上、本考案の一実施形態について説明したが、本考案はこれに限定されることなくその趣旨を逸脱しない範囲で種々の改良・変更が可能であることは勿論である。
【００３２】
例えば、上記実施形態では、踵部の足首側の上辺と、当該上辺に連続するゴアラインの延長線による境界より上方を非弾性糸で編成する例を示したが、これに限定されず、当該境界よりも少し上方位置より脚部を非弾性糸のみで編成するようにしてもよい。
【符号の説明】
【００３３】
１…靴下
２…爪先部
３…足甲部
４…足部
５…足底部
６…踵部
６ａ…足先側
６ｂ…足首側
７…ゴアライン
８…脚部
９…履口部
【図１】
0003216144.tif 000003